(57)【要約】      （修正有）【課題】インテリアに施された飾り付けを損なわずに、家具や床面に対する傷付き等の家屋事故を防止するインテリア装飾品を提供する。【解決手段】インテリア用品に対して使用される装飾品であって、インテリア用品の土台に敷かれるシート４２と、所定の形状に施された柄模様４１ａ、４１ｂと、インテリア本体の形状に合わせて開口されている開口部とを有するカバー４１と、カバーでインテリア用品の土台が覆われ、更に、土台の下にシートが敷かれ、カバーが有する柄模様とシートが一体となって飾り付けが構成される。【選択図】図４
0003201556.tif 000002
【実用新案登録請求の範囲】
【請求項１】
インテリア用品に対して使用される装飾品であって、
前記インテリア用品の土台に敷かれるシートと、
所定の形状に施された柄模様と、前記インテリア本体の形状に合わせて開口されている開口部とを有するカバーと、
前記カバーで前記インテリア用品の土台が覆われ、更に、当該土台の下に前記シートが敷かれ、当該カバーが有する前記柄模様と前記シートが一体となって構成される飾り付けと、
を有することを特徴とする装飾品。
【請求項２】
前記カバーが有する前記柄模様は、前記所定の形状に沿って切り抜かれている開放部を有し、前記飾り付けは、当該開放部と前記シートが一体的に重ね合わされることによって得られる柄模様で前記インテリア用品に対して装飾を施すことを特徴とする請求項１に記載の装飾品。
【請求項３】
前記開口部は、前記装飾カバーの外延から中心に向けて切り込みを入れることにより、開口されていることを特徴とする請求項２に記載の装飾品。
【請求項４】
前記インテリア用品はクリスマスツリーであり、前記柄模様はクリスマスに関連する絵柄であることを特徴とする請求項３に記載の装飾品。
【考案の詳細な説明】
【技術分野】
【０００１】  本考案は、主にインテリア装飾品に関し、例えば、クリスマスツリー、観賞用の造花といった各種インテリア用品に対して飾りつけを行うものに関する。
【背景技術】
【０００２】  一般に、各種インテリア用品は、その設置される場所や空間等を華やかに演出する場合や、季節を演出する場合に広く使用されている。そして、使用の一例として、クリスマスシーズンを演出するクリスマスツリーが良く知られている。【０００３】  さらに、クリスマスツリーの飾りつけや、クリスマスツリーの装飾に使用される小物として、例えば、ＬＥＤ電球、ベル、各種オーナメント等が広く普及している。華やかに飾り付けられたクリスマスツリーは、家庭で広く楽しまれ、または、ショップ等のディスプレイやその演出の一部として、広く使用されている。【０００４】  そして、クリスマスツリーの飾りつけに使用される小物の一例として、ツリースカートが挙げられる。このツリースカートにより、主にクリスマスツリーを支える土台に対して飾りつけがされ、クリスマスツリーをより華やかに演出することが広く知られている（例えば、非特許文献１参照）。【０００５】  また、ツリースカートを使用することで、例えば、クリスマスツリーのライトアップに使用したＬＥＤ電球の電源コード等を隠すことができ、クリスマスツリーの装飾性・美観性等の維持に有用である。【０００６】  なお、特許文献１では、クリスマスツリーや冠婚葬祭に使用する花輪、鑑賞用の造花の基台に関する技術が公開されており、特許文献２では、クリスマスツリーを支えるクリスマスツリー用支持鉢に関する技術が公開されている。
【先行技術文献】
【特許文献】
【０００７】
【特許文献１】実公平６−４７８１号公報
【特許文献２】実公昭６４−１５２号公報
【非特許文献】
【０００８】
【非特許文献１】ｈｔｔｐ：／／ｗｗｗ．ｎｉｔｏｒｉ−ｎｅｔ．ｊｐ／ｓｈｏｐ／ｃａｔｅｇｏｒｙ／ｃａｔｅｇｏｒｙ．ａｓｐｘ？ｃａｔｅｇｏｒｙ＝ｃ７３２０２
【考案の概要】
【０００９】
【考案が解決しようとする課題】
【００１０】  しかしながら、上述した従来技術では、クリスマスツリーを例にした場合、クリスマスツリーの飾り付けを損なわずに、家屋事故を防止することが困難な場合であった。【００１１】  また、クリスマスツリーを設置した際に、そのツリーの土台の形状によっては、設置したフローリングや家具に傷を付けて、家屋事故の原因となってしまう場合がある。【００１２】  一方で、クリスマスツリーを撤去し、片付ける際に、クリスマスツリーの土台と、設置されていたフローリングとの間に、何ら敷物を敷いていなかったことを原因として、そのフローリングを傷つけてしまう場合があった。【００１３】  また、家具やフローリングを保護するための敷物をクリスマスツリーの土台の下に敷いたとしても、ツリースカートで飾られた演出を損なう場合があり、更に、その土台の形状や大きさに合致するツリースカートを容易に入手することが困難な場合がある。【００１４】  本考案は、上述した従来技術による課題を解決するためになされたものであり、例えば、クリスマスツリーに施された装飾性を保ちつつ、かつ、クリスマスツリーの土台に起因する家具や床面（例えば、フローリング）に対する傷防止も兼ねたインテリア小物を提供することを目的とする。
【課題を解決するための手段】
【００１５】  インテリア用品に対して使用される装飾品であって、前記インテリア用品の土台に敷かれるシートと、所定の形状に施された柄模様と、前記インテリア本体の形状に合わせて開口されている開口部とを有するカバーと、前記カバーで前記インテリア用品の土台が覆われ、更に、当該土台の下に前記シートが敷かれ、当該カバーが有する前記柄模様と前記シートが一体となって構成される飾り付けとを有することを特徴とする装飾品。【００１６】  本考案に係る装飾品によれば、クリスマスツリー等に施された装飾性を保ちつつ、かつ、クリスマスツリー等の置物を設置した際に起こり得る家具や床面（例えば、フローリング）に対する傷防止も行うことができる。
【図面の簡単な説明】
【００１７】
【図１】図１は、本考案の概要を説明する図である。
【図２】図２は、本考案のツリースカートの断面を説明する図である。
【図３】図３は、実施例１に係るツリースカートの使用例を示す図である。
【図４】図４は、実施例１に係るツリースカートを示す図である。
【図５】図５は、実施例１に係るツリースカートの装飾カバーを示す図である。
【図６】図６は、実施例１に係るツリースカートの敷きシートを示す図である。
【図７】図７は、実施例２に係るツリースカートの装飾カバーを示す図である。
【考案を実施するための形態】
【００１８】  以下に、本考案に係るインテリア装飾品の実施例を図面に基づいて詳細に説明する。なお、この実施例により、この考案が限定されるものではない。
【実施例１】
【００１９】（考案の概要及び特徴）
最初に、本考案に係る装飾品の概要について説明する。本考案に係る装飾品は、例えば、鉢植えの造花、観葉植物、クリスマスツリーといった主に室内のインテリアの一部として使われる。【００２０】  図１は、本考案の概要を説明する図である。図１に示すように、まず、本考案をクリスマスツリーの装飾として使用したときを例に挙げて説明する。図１に示したクリスマスツリー１は、支持部２を有し、ツリースカート１０により飾りつけがされている。【００２１】  図１に示したツリースカート１０は、装飾カバー１１とシート１２を有し、装飾カバー１１は、クリスマスツリー１に関連する柄模様の一例として、柄模様１１ａと、柄模様１１ｂとを一例として有する。【００２２】  柄模様１１ａと、柄模様１１ｂとを有する装飾カバー１１がクリスマスツリー１の土台を覆い、さらに、シート１２は、クリスマスツリー１の土台に敷かれている。そして、ツリースカート１０は、装飾カバー１１と、シート１２とが一体となって、このクリスマスツリー１に対して装飾を施している。【００２３】  このように、図１に示すツリースカート１０は、クリスマスツリー１の飾り付けとして使用され、装飾カバー１１と、シート１２と有しており、それぞれクリスマスツリー１の土台のカバーや敷きシートとして使用されている。【００２４】  次に、本考案に係るツリースカートの断面について説明する。図２は、本考案のツリースカートの断面を説明する図である。図２に示すように、図２は、図１に示したクリスマスツリー１及びツリースカート１０の断面を示す図である。【００２５】  図２に示すように、クリスマスツリー１は、支持部２、土台３を有している。そして、この土台３は、図１にて示した柄模様１１ａを有する装飾カバー１１によって覆われている。そして、土台３の下にツリースカート１０が有するシート１２が敷かれている。【００２６】  このシート１２は土台３の下に敷かれるシートで、フェルト等が代表的な素材として挙げられる。そして、シート１２は、土台３の下に敷かれる際、土台３が設置する場所に、土台３が直接接触しない程度の面積を有する。【００２７】  具体的には、例えば、土台３の幅の最大値が５９０ｍｍである場合、シート１１の直径の一例として、５９７ｍｍ程度の直径を有する円形のシートとなる。そして、素材の一例としてクッション性を有するフェルトを採用する。【００２８】  なお、土台３が設置される場所は、クリスマスツリーが設置できる場所であれば良く、例えば、タンスや書棚、ダイニングテーブルといった家具でも構わない。さらに、設置される場所は、家具に限らず、例えば、一般的なクリスマスツリーが設置できる床面であれば良く、玄関先や、リビング等のフローリングでも構わない。【００２９】  次に、装飾カバー１１について説明する。装飾カバー１１は、クリスマスツリー１をツリースカート１０で覆う際に、クリスマスツリー１の支持部２を通す開口部を有する。この開口部については、後段で詳細に説明する。【００３０】  次に、実施例１に係るツリースカートの使用例について説明する。図３は、実施例１に係るツリースカートの使用例を示す図である。図２に示すように、ツリースカート１０は、クリスマスツリー１��飾りつけとして使用されている。【００３１】  このツリースカート１０は、装飾カバー１１、シート１２を有している。そして、装飾カバー１１は、柄模様１１ａ、柄模様１１ｂ、開口部１１ｃを有する。この柄模様は、図１で説明した柄模様にそれぞれ対応している。【００３２】  次に、装飾カバー１１が有する柄模様１１ａについて説明する。図３に示すように、柄模様１１ａは、いわゆる雪をモチーフにした代表的な柄模様で、クリスマスツリーの観念に密接に関連している。【００３３】  ここで、クリスマスツリーの観念とは、例えば、クリスマスシーズンの到来を象徴する冬が例として挙げられ、この冬のイメージに合わせて、雪の結晶をモチーフにした柄模様を施している。【００３４】  このように、図３では、クリスマスツリーが設置される季節と密接に関連する柄模様として、雪の結晶を例にして説明したが、この柄模様の一例として、例えば、図３に示した以外の雪の結晶をモチーフとしても良いものとする。例えば、柄模様１１ｂも雪の結晶を例にした柄模様である。また、雪の結晶以外をモチーフとした場合については、後段の実施例２で詳細に説明する。【００３５】  なお、本実施例では、柄模様１１ａの例として、クリスマスツリーを例に挙げて説明したが、例えば、図１で示したクリスマスツリー以外のインテリアを設置した場合は、ツリースカート１０が有する柄模様も、設置するインテリア小物に関連する柄となる。【００３６】  例えば、図３に示したように、クリスマスツリー１を設置するのではなく、インテリア小物の一例として、室内装飾用の門松を設置した場合、柄模様１１ａや柄模様１１ｂは、正月に関連する柄として、初日の出や羽子板等が例として挙げられる。【００３７】  次に、図３に示した開口部１１ｃについて説明する。図示したように開口部１１ｃは、装飾カバー１１の外延から、装飾カバー１１の中心に向かって開口部を有する。この開口部により、クリスマスツリー１の支持部２を通すための開口となり、ツリースカート１０で覆うこととなる。【００３８】  次に、図３で説明したツリースカート１０が有する装飾カバー１１と、シート１２について説明する。図４は実施例１に係るツリースカートの一例を示す図である。図４に示すように、本実施例に係るツリースカート４０は、装飾カバー４１とシート４２との２枚のシートを有する。【００３９】  装飾カバー４１はクリスマスツリーの土台を覆い、シート４２はクリスマスツリーの土台に敷かれる。そして、２枚のシートが一体となってクリスマスツリーの土台に飾り付けがなされ、クリスマスツリー本体に対して装飾性を与える。【００４０】  また、図４に示した装飾カバー４１とシート４２は、例えば、不織布で作られても良い。この不織布は、世間に広く知られており、織や編によらず、繊維を様々な方法でシート状結合させた織らないファブリックでも構わない。具体的な例としては、フェルト等が挙げられる。【００４１】  なお、上述したように、本実施例に係るツリースカートは、フェルト等の素材に限らず、ウール、リネン、絹、木綿といった広く一般に知られているテキスタイルでも構わないものとする。以下、具体的に図を用いて説明する。【００４２】  次に、図４に示し��ツリースカート４０が有する装飾カバーとシートについて、図を用いて説明する。図５は、実施例１に係る装飾カバーの一例を示す図である。なお、図５に示した装飾カバー５０は、図２や図３に示した装飾カバー１１や図４に示した装飾カバー４１に対応するものである。【００４３】  図５に示すように、装飾カバー５０は、柄模様５０ａ、柄模様５０ｂ、開口部５０ｃ、開口部５０ｄ、外延部５０ｅを有する。【００４４】  まず、柄模様５０ａについて説明する。柄模様５０ａは、一例として、雪の結晶をモチーフにした柄模様である。この柄模様５０ａは、装飾カバー５０の繊維材料に対して、科学的・物理的な加工を施すことで模られる。【００４５】  そして、この加工技術は、広く一般に知られた加工技術であり、例えば、レザーカットやエンボス加工でも良いし、プリント加工でも良い。【００４６】  例えば、レザーカットを用いて装飾カバーに加工が施された場合は、装飾カバー５０は、柄模様５０ａに対応する形状で模られた開放部を有することになる。模様５０ｂも同様である。この開放部により、装飾カバー５０は、柄模様５０ａに対応する形状で穴が開けられることになる。【００４７】  一方で、エンボス加工で装飾カバーに加工が施された場合は、装飾カバー５０は、柄模様５０ａに対応する凹凸形状で模られた絵柄を有することになる。この場合、柄模様５０ｂも同様である。【００４８】  なお、本実施例では、エンボス加工並びにレザーカットを例にして、説明したが、柄模様５０ａ及び柄模様５０ｂを模られる方法は、これに限定されず、広く一般的に知られた化学的加工もしくは物理的加工で行われるものとする。【００４９】  ここで、化学的加工とは、薬品や加工剤を施して繊維本来とは異なる性質・性能を与えるもので、一例として、樹脂加工・形状記憶加工・オパール加工・コーティング加工等が広く一般に知られている。【００５０】  一方、物理的加工とは、熱や圧力をかけて繊維の内部構造及び表面を変化させるもので、エンボス加工・プリーツ加工・モアレ加工、しわ加工、起毛加工が、広く一般に知られている。【００５１】  次に、開口部５０ｃと開口部５０ｄについて説明する。開口部５０ｃは、例えば、図１や図２に示したクリスマスツリー１を例にした場合、クリスマスツリー１の支持部２の形状に合わせた大きさで良く、直径３０ｍｍ程度の大きさが例として挙げられる。【００５２】  そして、開口部５０ｃは、上述したように直径３０ｍｍ程度の円形状に開口されている開口部を有し、開口部５０ｃは、開口部５０ｃから外延部５０ｅに向かって開口されている開口部を有する。【００５３】  なお、開口部５０ｃと開口部５０ｄは、上述したように、広く一般的に知られた化学的加工もしくは物理的加工で行われるものとする。【００５４】  外延部５０ｅが有する柄模様は、柄模様５０ａと、柄模様５０ｂとに関連する模様で、例えば、図１に示したツリースカート１０の装飾性を損なわず、関連する柄模様や相応の柄模様を構成するものとする。【００５５】  次に、図１〜図３で示したシート１２について図を用いて説明する。図６は、実施例１に係る敷きシートの一例を示す図である。なお、図６に示したシート６０は、フェルトが素材の代表的な例として知られている。【００５６】  このようにシート６０は、不織布で作られても良い。この不織布は、世間に広く知られており、織や編によらず、繊維を様々な方法でシート状結合させた織らないファブリックである。【００５７】  シート６０の直径は、図３に示したように、装飾カバーに応じた直径を有しても良いし、もしくは、例えば、クリスマスツリーの土台の大きさに合わせた直径でも良い。
【実施例２】
【００５８】  次に、本実施例２に係る装飾カバについて説明する。図７は、実施例２に係る装飾カバーの一例を示す図である。装飾カバー７０は、柄模様７０ａ、柄模様７０ｂ、柄模様７０ｃ、開口部７０ｄを有する。【００５９】  柄模様７０ａはトナカイをモチーフとし、柄模様７０ｂはリスをモチーフとし、柄模様７０ｃは例えば、モミの木をモチーフとした柄模様である。開口部７０ｄは、図３で示した開口部１１ｃと同様の機能を示す。【００６０】  なお、これまで本実施例では、インテリア用品の例として、クリスマスツリーを例に挙げて説明してきたが、本実施例はこれに限定されるものでなく、クリスマスツリー以外のインテリでも良く、例えば、観葉植物やタワー状のインテリアでも構わない。【００６１】  さらに、本実施例では、説明の便宜上、ツリースカートという名称を用いて説明してきたが、本発明の名称はこれに限定されるものではない。
【符号の説明】
【００６２】１  クリスマスツリー
２  支持部
３  土台
１０、４０、５０  ツリースカート
１１、４１、７０  装飾カバー
１１ａ，１１ｂ、４１ａ、４１ｂ、５０ａ、５０ｂ、７０ａ、７０ｂ、７０ｃ  柄模様
１１ｃ、５０ｃ、７０ｄ  開口部
１２、４２、６０  シート
５０ｅ  外延
【図１】
0003201556.tif 000003
【図２】
0003201556.tif 000004
【図３】
0003201556.tif 000005
【図４】
0003201556.tif 000006
【図５】
0003201556.tif 000007
【図６】
0003201556.tif 000008
【図７】
0003201556.tif 000009